(57)【要約】【課題】抜けにくい逆さ針と、根掛かりを防止し、背掛かりの確立を高くする構造を備え、糸通しを容易にかつ短時間で行うことを可能とし、従来の仕掛けよりも広い範囲で野鮎を捕獲できる、鮎の友釣り用の仕掛けを提供すること。【解決手段】逆さ針６にコ字状の狭持部２４を設け、逆さ針６の先端部に道糸通し部２５を設け、逆さ針６に糸通し部２７を設け、鉤素止め８を逆さ針６に回動可能に取り付け、鉤素９の両端に掛け鉤１０を回動可能に取り付け、前記鉤素止め８に前記鉤素９を二又の状態に取り付け、前記鉤素止め８に鉤素形状保持部１１を設けた、鮎の友釣り用の仕掛け３を提供する。【選択図】図１
2008035716.tif 000002
【特許請求の範囲】
【請求項１】
鮎友釣り用仕掛けにおいて、鉤素や掛け鉤のふらつきを抑えるために囮鮎に取り付ける逆さ針であって、略直線形状部分を有する針先と、囮鮎の体内に差し込まれた前記針先との間で該囮鮎の体の少なくとも一部を挟み込む挟持部とを備え、前記針先の略直線形状部分と、前記挟持部とが略平行に形成されていることを特徴とする、逆さ針。
【請求項２】
鮎友釣り用仕掛けにおいて、囮鮎に取り付ける逆さ針であって、囮鮎に取り付けた状態において鮎の頭部側となる端部に、道糸通し部を設けたことを特徴とする、逆さ針。
【請求項３】
鮎友釣り用仕掛けにおいて、逆さ針に連結された糸状の鉤素止め支持材に取り付けられる鉤素止めであって、前記鉤素止めを、前記鉤素止め支持材を軸として回動可能に構成したことを特徴とする、鉤素止め。
【請求項４】
前記鉤素止めに、鉤素が二又に広がった状態を保持する、鉤素形状保持部を設けたことを特徴とする、請求項３に記載の鉤素止め。
【請求項５】
鮎友釣り用仕掛けにおいて、鉤素止めに取り付けられる鉤素であって、前記鉤素止めに二又状態に取り付けられた一本の糸状部材と、前記糸状部材の両端に該糸状部材を中心として回動可能に設けた掛け鉤とを、備えることを特徴とする鉤素。
【発明の詳細な説明】
【技術分野】
【０００１】
本発明は、鮎の友釣り用の仕掛けの構造に関する。
【背景技術】
【０００２】
鮎の友釣りとは、鮎の習性を利用した釣りの手法である。野鮎は、川底の石の周りに特定の縄張りを持っており、他の鮎が縄張りに入り込むと、侵入者の横腹を目掛けて激しく体当たりをし、縄張りを守ろうとする習性を持っている。そこで、図２１に示すように、生きた鮎を囮鮎２として仕掛けを取り付け、野鮎１の縄張りを泳がせ、囮鮎２に攻撃を仕掛けてきた野鮎１が掛け鉤に掛かったところを釣り上げるのである。
【０００３】
従来より、囮鮎に取り付ける仕掛け３’は、図２２に示すように、囮鮎２を攻撃してきた野鮎１を釣るための掛け鉤１０’と、掛け鉤１０’のふらつきを抑えるために、囮鮎２の尻ビレ付近に取り付ける逆さ針６’と、囮鮎２の鼻に通す鼻環４と、逆さ針６’と鼻環４とを繋ぐ道糸５とを備えている。
しかし、この仕掛けは、次のような問題点や改善点を抱えるものであった。
【０００４】
まず、逆さ針には、抜け易いという問題があった。逆さ針が抜けていないかどうかを確かめるためには、囮鮎を引き上げて点検をしなければならないが、点検を繰り返すことによって囮鮎が弱ってしまうため、抜けにくい逆さ針が求められてきた。
【０００５】
次に、仕掛けは小さいものであり、釣り糸は細く絡まりやすいものであるため、仕掛けに糸を通すことが困難であった。また、糸通しに時間を取られることで、鮎を釣る機会を逃してしまうという問題があった。そこで、短時間でかつ簡単に糸通しを行うことが求められてきた。
【０００６】
また、野鮎は、川底の石の周りに縄張りを持っているので、掛け鉤が、水中の岩や石等の障害物に引っ掛かり、根掛かりを起こし易いという問題があった。
【０００７】
さらに、友釣りでは、掛け鉤が野鮎の背中に掛かる背掛かりが、最も好まれるところである。掛け鉤が、野鮎の頭や腹に掛かると、野鮎は直ぐに死んでしまうので、新たな囮鮎を確保することが出来ないのである。しかし、野鮎の背中に掛け鉤が掛かると、野鮎を生きた状態で捕獲することが可能となる。その結果、新たな囮鮎を確保することが出来、また、鮮度の高い鮎を提供することが可能となる。しかし、野鮎の攻撃は激しく、動きも素早いため、背掛かりは難しく、背掛かりの確立が低い、という問題があった。
これらの問題を解決するための発明が、これまでも提案されている。例えば、特許文献１や特許文献２に記載の技術である。
【０００８】
特許文献１が提案する、鮎友釣り用逆さ針は、逆さ針の針軸に固定用突起を延出し、固定用突起と針先との間に隙間を設け、逆さ針を囮鮎に刺し入れて、囮鮎の身体の一部を隙間に挟み、囮鮎に逆さ針を固定するものである。しかし、この発明では、固定用突起と針先とが対峙する距離は短く構成されている。したがって、逆さ針を囮鮎に強固に固定することは出来ず、逆さ針を囮鮎に取り付けた後、逆さ針が揺れ動いて、囮鮎から外れてしまう恐れがある。
また、特許文献２が提案する、鮎友釣り用チラシ仕掛は、鉤素に対して掛け鉤の軸部を沿わせた状態にして巻き付けることによって、掛け鉤を移動可能な状態にして取り付けるとともに、掛け鉤を任意の位置で固定し得るように構成したものである。しかし、掛け鉤を鉤素に巻き付ける時点では、移動が可能であっても、一度掛け鉤を巻き付けると、掛け鉤の位置と、針先の方向は固定されることになる。したがって、掛け鉤が水中で揺れ動き、岩等に引っ掛かることを防止することは出来ないものである。
【０００９】
【特許文献１】特開２０００−１６６４４６号公報
【特許文献２】特開２００２−１９９８３１号公報
【発明の開示】
【発明が解決しようとする課題】
【００１０】
そこで、本発明では、抜けにくい逆さ針と、根掛かりを防止し、背掛かりの確立を高くする構造を備え、糸通しを容易にかつ短時間で行うことを可能とし、従来の仕掛けよりも広い範囲で野鮎を捕獲できる、鮎の友釣り用の仕掛けを提供することを、目的とするものである。
【課題を解決するための手段】
【００１１】
本発明の解決しようとする課題は以上の如くであり、次にこの課題を解決するための手段を説明する。
【００１２】
即ち、請求項１においては、鮎友釣り用仕掛けにおいて、鉤素や掛け鉤のふらつきを抑えるために囮鮎に取り付ける逆さ針であって、略直線形状部分を有する針先と、囮鮎の体内に差し込まれた前記針先との間で該囮鮎の体の少なくとも一部を挟み込む挟持部とを備え、前記針先の略直線形状部分と、前記挟持部とが略平行に形成されているものである。
【００１３】
請求項２においては、鮎友釣り用仕掛けにおいて、囮鮎に取り付ける逆さ針であって、囮鮎に取り付けた状態において鮎の頭部側となる端部に、道糸通し部を設けたものである。
【００１４】
請求項３においては、鮎友釣り用仕掛けにおいて、逆さ針に連結された糸状の鉤素止め支持材に取り付けられる鉤素止めであって、前記鉤素止めを、前記鉤素止め支持材を軸として回動可能に構成したものである。
【００１５】
請求項４においては、前記鉤素止めに、鉤素が二又に広がった状態を保持する、鉤素形状保持部を設けたものである。
【００１６】
請求項５においては、鮎友釣り用仕掛けにおいて、鉤素止めに取り付けられる鉤素であって、前記鉤素止めに二又状態に取り付けられた一本の糸状部材と、前記糸状部材の両端に該糸状部材を中心として回動可能に設けた掛け鉤とを、備えるものである。
【発明の効果】
【００１７】
本発明の効果として、以下に示すような効果を奏する。
【００１８】
請求項１においては、鮎友釣り用仕掛けにおいて、鉤素や掛け鉤のふらつきを抑えるために囮鮎に取り付ける逆さ針であって、略直線形状部分を有する針先と、囮鮎の体内に差し込まれた前記針先との間で該囮鮎の体の少なくとも一部を挟み込む挟持部とを備え、前記針先の略直線形状部分と、前記挟持部とが略平行に形成することによって、逆さ針を囮鮎に固定することが可能となり、囮鮎から外れることを防止することが可能となる。
【００１９】
請求項２においては、鮎友釣り用仕掛けにおいて、囮鮎に取り付ける逆さ針であって、囮鮎に取り付けた状態において鮎の頭部側となる端部に、道糸通し部を設けたことによって、糸通しを容易にかつ短時間で行うことが可能となる。
【００２０】
請求項３においては、鮎友釣り用仕掛けにおいて、逆さ針に連結された糸状の鉤素止め支持材に取り付けられる鉤素止めであって、前記鉤素止めを、前記鉤素止め支持材を軸として回動可能に構成したことによって、鉤素同士が絡まることを防止することが可能となるものである。
【００２１】
請求項４においては、前記鉤素止めに、鉤素が二又に広がった状態を保持する、鉤素形状保持部を設けたことによって、鉤素の形状を保持し、鉤素同士が絡まることを防止することが可能となるものである。
【００２２】
請求項５においては、鮎友釣り用仕掛けにおいて、鉤素止めに取り付けられる鉤素であって、前記鉤素止めに二又状態に取り付けられた一本の糸状部材と、前記糸状部材の両端に該糸状部材を中心として回動可能に設けた掛け鉤とを、備えることによって、掛け鉤の根掛かりを防ぎ、背掛かりの確立を高くすることを可能とし、広い範囲で野鮎を捕獲することを可能とするものである。
【発明を実施するための最良の形態】
【００２３】
次に、発明の実施の形態を説明する。
図１は友釣りの仕掛け３を示した図、図２は逆さ針６の実施例を示した斜視図、図３は狭持部２４と針先２３とを示した拡大図、図４は逆さ針６の使用状態図、図５は略Ｕ字状の狭持部２４を有する逆さ針６の使用状態図、図６は道糸通し部２５の拡大図、図７は道糸通し部２５に道糸５を取り付ける方法を説明する図、図８は糸通し部２７に鉤素止め支持材７を取り付ける方法を説明する図、図９、図１０は糸通し部２７に鉤素止め支持材７を取り付ける方法を説明する図、図１１、図１２、図１３は別形態の糸通しを示す拡大図、図１４は掛け鉤を示す斜視図、図１５は鉤素止めを示す側面図、図１６は鉤素形状保持部１１を示す図、図１７は逆さ針に鉤素止めを取り付ける方法を説明する図、図１８は鉤素の広がりを示す図、図１９は囮鮎が泳いでいる時の掛け鉤の状態を示す図、図２０は囮鮎２の下方を野鮎１が泳ぐ状態を示す図、図２１は野鮎１が囮鮎の下方を泳ぐときの、掛け鉤の回転を示す図、図２２は鮎の友釣りを表す図、図２３は従来の仕掛け３を取り付けた囮鮎２の図である。
【００２４】
本発明の実施例に係る仕掛け３は、図１に示すように、鼻環４と、該鼻環４に道糸５でつないだ逆さ針６と、該逆さ針６に鉤素止め支持材７を介して設けた鉤素止め８と、前記鉤素止め８に取り付けた鉤素（ハリス）９と、該鉤素９に取り付けた掛け鉤１０とを、少なくとも備えてなるものである。前記鉤素止め８には、鉤素形状保持部１１が設けられる。
以下、逆さ針６と、鉤素止め８と、鉤素形状保持部１１と、鉤素９との構成について、それぞれ詳細に説明する。
【００２５】
まず、逆さ針６の構成について、図２より説明する。
なお、図２に示すＸ方向は、逆さ針６を囮鮎２に固定した状態において、該囮鮎２の頭部側の方向を表している。以下、逆さ針６のＸ方向側を、逆さ針６の「頭部側」と記載し、その反対側を逆さ針６の「尾部側」と記載する。
【００２６】
逆さ針６は、一本の線材からなり、針軸２６の頭部側において逆方向に折れ曲がってフック部２２が形成され、針軸２６の尾部側に糸通し部２７が形成される。
前記フック部２２には、逆さ針６の頭部側から尾部側へ向かって伸びる略直線形状部分を少なくとも一部に有する針先２３と、前記逆さ針６の頭部側の先端部に位置する道糸通し部２５と、前記針軸２６から針先２３に近付く方向へ凸状に突出した挟持部２４とが、形成される。
逆さ針６は、囮鮎２の尻ビレ付近に針先２３を刺し入れるとともに、前記囮鮎２の一部を前記針先２３と前記挟持部２４とで挟み込むことによって、囮鮎２に固定するものである。
【００２７】
逆さ針６の構成部のうち、狭持部２４について図３より説明する。
図３に示すように、狭持部２４は、針軸２６の頭部側の線材を、針先２３に近付く方向に、回転した略コ字状に折り曲げてなるものである。前記狭持部２４には、針先２３の略直線形状部分と略平行となるように、略直線形状部分である狭持辺２４ａが形成されており、前記狭持辺２４ａと前記針先２３との間に、囮鮎２の身の一部を挟み込んで保持するために十分な狭さの隙間が形成される。針先２３の略直線形状部分と対峙する、狭持辺２４ａの長さは、少なくとも０．５ｍｍから１０ｍｍとなるように構成されている。
【００２８】
なお、狭持部２４と針先２３との構成は、図３で示す構成に限定されるものではない。
上記において、狭持辺２４ａは略直線形状として、該狭持部２４と囮鮎２とは線で接するように構成している。但し、狭持辺２４ａは略直線形状とすることに限定されず、狭持部２４の少なくとも２点以上で囮鮎２に接するように、狭持部を波形状に形成することもできる。
【００２９】
図４に示すように、逆さ針６を、囮鮎２の尻ビレ付近に刺し入れたとき、前記囮鮎２の一部を針先２３と狭持部２４の狭持辺２４ａとの隙間に挟むことによって、前記逆さ針６を前記囮鮎２に固定することが可能となる。
狭持部２４は、狭持辺２４ａと針先２３とが略平行となるように構成されており、図４に示すように、囮鮎２の身の一部が、針先２３と狭持辺２４ａとに挟まれる。このとき、針先２３と狭持辺２４ａとは、前記囮鮎２に対して、線と線で接して挟み込む構造となる。
この構造によると、囮鮎２を強固に固定することが可能であり、逆さ針６を囮鮎２に一度取り付けると、逆さ針６が揺れ動くことはない。
また、狭持部２４と針先２３との隙間を狭く形成することによって、逆さ針６を囮鮎２に、さらに強く固定することが可能となり、一度刺し入れた逆さ針６が抜けることを、防ぐことが可能となるのである。
逆さ針６を囮鮎２に一度取り付けると、前記逆さ針６が揺れ動くことはないので、鉤素止め８を延設した逆さ針６を、囮鮎２に取り付けた場合であっても、前記逆さ針６が揺れ動くことで、鉤素止め８が前記囮鮎２に接触したり、前記囮鮎２を傷つけたりすることも無い。
【００３０】
仮に、例えば図５に示すように、狭持部２４’を上下逆略Ｕ字状に形成した場合、囮鮎２と狭持部２４’とは、該狭持部２４’の頂点で接する。つまり、囮鮎２は線と点との間に挟まれる構造となるが、このような構造では、囮鮎を固定する針先２３’と狭持部２４’とが対峙する長さは短く、逆さ針６’を刺した後、狭持部２４’の頂点を中心に、逆さ針６’が揺れ動き、逆さ針が囮鮎２から外れる恐れがある。
【００３１】
次に、道糸通し部２５について、図６、図７により説明する。
図６に示すように、道糸通し部２５は、逆さ針６の頭部側の先端部を線材同士が重なるようにヘアピン状に二つ折りにして、頭部側へ突出させるようにして形成したものである。道糸通し部２５では、重ね合わされた線材同士の間に生じる隙間２５ａに、道糸が通される。
道糸通し部２５に道糸５を取り付けるには、図７に示すように、道糸通し部２５と狭持部２４との間に道糸５を通し、次に、前記道糸５の端部と、道糸通し部２５を挟んで反対側の道糸５とを、隙間２５ａの方向に引っ張ることで、道糸５を該隙間２５ａの入口２５ｂを通って隙間２５ａまで引き込み、最後に、前記道糸５の端部と前記道糸通し部２５を挟んで反対側の道糸５とを結ぶことで、道糸通し部２５への道糸５の糸通しが完了する。
このように、逆さ針６に通した道糸５を道糸通し部２５の隙間２５ａの方向へ引っ張るだけで、糸通しが可能になるので、簡単にかつ短時間で、逆さ針６に道糸５を取り付けることが可能となる。
また、入口２５ｂの幅は僅かであり、道糸５が前記入口２５ｂを一旦通ると、前記入口２５ｂの形状は素材の弾性回復により閉じた状態となるので、一度取り付けた道糸５が、入口２５ｂから抜け出るおそれはないものである。
【００３２】
次に、糸通し部２７について、説明する。
図８に示すように、糸通し部２７は、狭持部２４と同じ折曲げ方向で、針軸２６をヘアピン状に二つ折りにして形成する糸通し３１と、針軸２６を、針先２３の延長方向に向かって、糸通しの折曲げ方向とは略直交する折曲げ方向に、ヘアピン状に二つ折りにして形成する糸通し３２と、からなる。
糸通し３１と糸通し３２とは、隙間３１ａ、３２ａと、針軸同士を重ねたときに生じる僅かな隙間からなる入口３１ｂ、３２ｂと、からなるものである。
糸通し部２７に鉤素止め支持材７を取り付けるには、図８に示すように、糸通し３１の入口３１ｂをまたいだ状態で鉤素止め支持材７を掛け、該鉤素止め支持材７の両端を隙間３１ａの方向に引っ張ることで、前記入口３１ｂに糸を通し、次に、図９に示すように、前記鉤素止め支持材７を糸通し３２の入口３２ｂに掛けて隙間３２ａの方向に引っ張ることで、前記入口３２ｂに鉤素止め支持材７を通し、最後に、図１０に示すように、前記鉤素止め支持材７の端を、入口３１ｂと入口３２ｂとの間を通る道糸に交差させた後、糸通し３２の入口３２ｂに掛けて隙間３２ａの方向に引っ張ることで、前記入口３２ｂに鉤素止め支持材７の端部を通せばよい。
このように、入口３１ｂ、３２ｂに掛けた鉤素止め支持材７を隙間３１ａ、３２ａの方向に引っ張るだけで、簡単にかつ短時間で鉤素止め支持材７を通すことが可能となる。
また、入口３１ｂ、３２ｂの幅は僅かであり、鉤素止め支持材７が前記入口３１ｂ、３２ｂを一旦通ると、前記入口３１ｂ、３２ｂは素材の弾性回復により閉じた状態となるので、一度取り付けた鉤素止め支持材７が、入口３１ｂ、３２ｂから抜け出るおそれはないものである。
【００３３】
なお、糸通し部の形状は限定されるものではない。糸通し３１、３２を狭持部２４に並列するように設け、略Ｍ字状の糸通し部２７を形成することや、糸通し３１、３２を二つ形成することなく、糸通し３１、３２のうち何れか一つを形成することも可能である。
また、針軸２６をヘアピン状に折り曲げる以外にも、図１１に示すように、針軸２６に糸等を巻き付けて環状の糸通しを形成することや、図１２、図１３に示すように、針軸２６をコイル状やリング状に巻いて環部を形成することで、糸通しを形成することも可能である。また、針軸２６に、糸通し穴を備えた部材を設ける構成でもよい。つまり、針軸２６に環状の部材を設ける構成であればよい。
【００３４】
次に、鉤素９と掛け鉤１０とについて、説明する。
図１４に示すように、掛け鉤１０は、針軸５１と針先５２とからなり、前記針軸５１には糸通し部５３を形成するものである。
糸通し部５３は、図１４に示すように、糸等を針軸に巻き付けて形成した環状の糸通しからなるものである。糸通し部５３の形状は限定されるものではなく、針軸をコイル状やリング状に形成した糸通しでもよい。また、針軸２６に、糸通し穴を備えた部材を設ける構成でもよい。つまり、針軸２６に環状の部材を設ける構成であればよい。
掛け鉤１０を鉤素９に取り付けるには、鉤素９の何れか一方の端を、糸通し５３ａに通し、前記鉤素９の端を結ぶことによって、掛け鉤１０を鉤素９に取り付けることが可能となる。また、本願では、残る一方の端にも同様に掛け鉤１０を取り付け、鉤素９の両端に掛け鉤１０を取り付けるものである。
鉤素９の太さは、糸通し５３ａの太さと比べて細いので、掛け鉤１０が鉤素９に固定されることは無い。つまり、鉤素９の両端に、掛け鉤１０が、回動可能に取り付けられているのである。
【００３５】
次に、鉤素止め８と、鉤素形状保持部１１とについて、説明する。
図１５に示すように、鉤素止め８は、線材の何れか一方をヘアピン状に二つ折りにして形成する隙間４１と、線材同士を重ねたときに生じる僅かな隙間からなる入口４２と、軸部４３と、からなるものである。また、前記軸部４３の先端には、糸等を巻き付けて形成した糸通し部４４が、設けられている。
糸通し部４４は、糸を巻き付けて形成したものには限られず、軸部４３をコイル状又はリング状に巻いて形成した糸通しでもよい。つまり、針軸に環状の糸通しを設ける構成であればよい。
鉤素形状保持部１１は、図１６に示すように、線材を折り合わせ、何れか一方の端部をヘアピン状に二つ折りにして隙間４１を形成し、折曲げた端部を左右に開き、Ｙ字状の鉤素形状保持部１１を形成することも可能である。また、前記線材の折目側をヘアピン状を二つ折りにして隙間４１を形成し、折曲げた端部を左右に開き、Ｙ字状の鉤素形状保持部１１を形成することも可能である。これ以外にも、鉤素形状保持部１１は、図１７に示すように、略Ｖ字状に折り曲げた針金等の線材を、隙間４１に備える構成からなるものである。
【００３６】
鉤素止め支持材７に鉤素止め８を取り付けるには、図１７に示すように、鉤素止め８の糸通し部４４に通した鉤素止め支持材７を、逆さ針６の糸通し部２７に通した後、鉤素止め支持材７の両端を結ぶことで、鉤素止め８を逆さ針６に取り付けることが可能となる。
このとき、鉤素止め支持材７の太さは、糸通し部４４の糸通し４４ａの大きさよりも細いので、鉤素止め８が、鉤素止め支持材７に固定されることはない。つまり、鉤素止め８は、鉤素止め支持材７を軸心として、回動可能となるように、鉤素止め支持材７に取り付けられているのである。
また、鉤素９を鉤素止め８に取り付けるには、軸部４３をまたいだ状態で鉤素止め８に鉤素９を掛け、該鉤素９の両端を持って、入口４２から隙間４１の方向に向かって前記鉤素９を引っ張ることで、前記鉤素９は前記入口４２を通り、前記鉤素止め８に前記鉤素９を取り付けることが可能となる。
【００３７】
本願では、鉤素９の両端に掛け鉤１０を取り付けているので、前記鉤素９を二又の状態で鉤素止め８に取り付けることになる。
このように、鉤素９を二又の状態でとりつけると、図１８に示すように、前記鉤素９同士の距離が広がることによって、掛け鉤１０同士の距離も広くなるので、広い範囲で野鮎１を釣ることが可能となる。
【００３８】
鉤素止め８に、鉤素９が二又の状態で取り付けられているので、二又の状態の前記鉤素９が水中で自由に動いた結果、前記鉤素９が絡まってしまう恐れが高い。
そこで、鉤素止め８に鉤素形状保持部１１を設け、隙間４１に備わった線材に支えられて鉤素９の形状を保持したり、Ｙ字状の鉤素形状保持部１１の隙間４１に鉤素９を通すことによって、鉤素９の形状を保持したりすることで、二又の状態で取り付けられた鉤素９の形状を保持し、鉤素９同士や掛け鉤１０同士が水中で絡まることを、防ぐことが可能になる。
【００３９】
また、本願では、鉤素止め８が、回動可能な状態で逆さ針に取り付けられているので、鉤素９全体が、大きく回動する構成になっている。
鉤素止め８を、回動可能な状態に取り付けることによって、鉤素９全体が鉤素止め８の回転に合わせて、同じ方向に回転することになり、前記鉤素９が自由に揺動することを制御することが可能となる。その結果、鉤素形状保持部１１と合わせて、前記鉤素９が水中で絡まることを防ぐことが可能になる。
また、鉤素９全体が回転することによって、広い範囲で野鮎１を釣ることが可能となるのである。
【００４０】
さらに、鉤素９に対して、掛け鉤１０を、回動可能な状態で取り付けていることによって、前記掛け鉤１０の根掛かりを防ぐことや、背掛かりの確立を高くすることが可能となるのである。
【００４１】
まず、根掛かりの防止について説明する。
囮鮎２が泳いでいるときに、掛け鉤１０が回動可能な状態であることから、図１９に示すように、掛け鉤１０は、水の抵抗を避けるために、水の流れに略平行な状態、つまり川底と略平行な状態になるように、自ずと回転するものである。したがって、囮鮎２が泳いでいるときには、針先５２が川底の方向を向いていることはなく、川底と略平行な方向を向いているので、針先５２が岩６０に引っ掛かることがない。
【００４２】
次に、背掛かりについて図２０、図２１により説明する。なお、図２１のＸ方向は、野鮎１の方向を表している。
囮鮎２に対して野鮎１が近付くと、図２０のように、野鮎１本体によって、水の流れが堰き止められるので、水の流れが止まる。そして、水の流れが止まると、掛け鉤１０には水の抵抗が掛からなくなる。掛け鉤１０に対する、水の抵抗がなくなると、図２１に示すように、掛け鉤１０は全体がＸ方向を向くように回転する。つまり、水の抵抗を受けている掛け鉤は、川底と略水平な状態であるが、掛け鉤に対する水の抵抗がなくなると、掛け鉤全体が、野鮎１の方向に回転するのである。このように、囮鮎２に近付いた野鮎１の本体が、水の流れを堰き止めることによって、掛け鉤１０が回転する状態になるためには、図２０に示すように、前記野鮎１が前記囮鮎２の下方を泳ぐことが必要になる。そして、前記囮鮎２の尾ビレの下側を泳ぐ前記野鮎１に対して、上方から前記掛け鉤１０が野鮎１の方向に向かって回転すると、自ずと前記野鮎１の背中部分に、前記掛け鉤１０が掛かる確立が高くなり、その結果、背掛かりの確立が高くなるのである。
【図面の簡単な説明】
【００４３】
【図１】友釣りの仕掛け３を示した図。
【図２】逆さ針６の実施例を示した斜視図。
【図３】狭持部２４と針先２３とを示した拡大図。
【図４】逆さ針６の使用状態図。
【図５】略Ｕ字状の狭持部２４を有する逆さ針６の使用状態図。
【図６】道糸通し部２５の拡大図。
【図７】道糸通し部２５に道糸５を取り付ける方法を説明する図。
【図８】糸通し部２７に鉤素止め支持材７を取り付ける方法を説明する図。
【図９】糸通し部２７に鉤素止め支持材７を取り付ける方法を説明する図。
【図１０】糸通し部２７に鉤素止め支持材７を取り付ける方法を説明する図。
【図１１】別形態の糸通し部２７を示す拡大図。
【図１２】別形態の糸通し部２７を示す拡大図。
【図１３】別形態の糸通し部２７を示す拡大図。
【図１４】掛け鉤１０を示す斜視図。
【図１５】鉤素止め８を示す側面図。
【図１６】鉤素形状保持部１１を示す図。
【図１７】逆さ針６に鉤素止め８を取り付ける方法を説明する図。
【図１８】鉤素９の広がりを示す図。
【図１９】囮鮎２が泳いでいる時の掛け鉤１０の状態を示す図。
【図２０】囮鮎２の下方を野鮎１が泳ぐ状態を示す図。
【図２１】野鮎１が囮鮎の下方を泳ぐときの、掛け鉤の回転を示す図。
【図２２】鮎の友釣りを表す図。
【図２３】従来の仕掛け３を取り付けた囮鮎２の図。
【符号の説明】
【００４４】
１    野鮎
２    囮鮎
３    仕掛け
４    鼻環
５    道糸
６    逆さ針
７    鉤素止め支持材
８    鉤素止め
９    鉤素
１０  掛け鉤
１１  鉤素形状保持部
２４  狭持部
２５  道糸通し部
２６  針軸
２７  糸通し部
６０  岩
【図１】
2008035716.tif 000003
【図２】
2008035716.tif 000004
【図３】
2008035716.tif 000005
【図４】
2008035716.tif 000006
【図５】
2008035716.tif 000007
【図６】
2008035716.tif 000008
【図７】
2008035716.tif 000009
【図８】
2008035716.tif 000010
【図９】
2008035716.tif 000011
【図１０】
2008035716.tif 000012
【図１１】
2008035716.tif 000013
【図１２】
2008035716.tif 000014
【図１３】
2008035716.tif 000015
【図１４】
2008035716.tif 000016
【図１５】
2008035716.tif 000017
【図１６】
2008035716.tif 000018
【図１７】
2008035716.tif 000019
【図１８】
2008035716.tif 000020
【図１９】
2008035716.tif 000021
【図２０】
2008035716.tif 000022
【図２１】
2008035716.tif 000023
【図２２】
2008035716.tif 000024
【図２３】
2008035716.tif 000025